(57)【特許請求の範囲】
【請求項１】
風呂側熱交換器を燃焼装置により加熱するようにし、浴槽内の水が循環するための循環回路を構成し、水位センサよりも下流で且つ上方に設けられた弁を介して、浴槽と弁との間のエアを上部に逃がした後に、浴槽内の水位を水位センサで検出するようにしたことを特徴とする浴槽の水位検出方法。
【請求項２】
浴槽内の水が循環するための循環回路に、ポンプと、浴槽内の水位を検出するための水位センサと、弁を設け、弁を閉じた状態で水位センサの信号により浴槽内の水位を検出するようにした浴槽内の水位検出装置において、前記弁は、水位センサよりも下流位置で且つ配管内のエアが上方に移動可能な配管部分に設けられ、浴槽と弁との間のエアを弁よりも上方に逃がすように、ポンプ停止から所定の時間経過後に、浴槽に対して水位センサの下流側の配管路を遮断すべく前記弁を閉じる制御手段が設けられたことを特徴とする浴槽の水位検出装置。
【請求項３】
浴槽内の水が循環するための循環回路に、ポンプと、循環水量を調整するための流量調整弁とが設けられ、しかも、所定循環水量を循環させるべく、流量調整弁の開度を制御する制御手段が設けられた循環流量制御装置において、前記制御手段は、流量調整弁の開度の相違する複数のポジションが、予め選択可能に準備され、制御手段は選択されたポジションの開度に前記流量調整弁を制御することを特徴とする循環流量制御装置。
【請求項４】
浴槽内の水が循環するための循環回路に、ポンプと、循環水量を調整するための流量調整弁とが設けられ、しかも、所定循環水量を循環させるべく、流量調整弁の開度を制御する制御手段が設けられた循環流量制御装置において、前記制御手段は、喫水位置よりも浴槽内の水位が上の場合に行なう循環判定モードと、水位が喫水位置よりも下の場合に行なう循環予備判定モードとを備え、循環判定予備循環モードのポジションは、循環判定モードのポジションに比し循環流量が少なくなるように設定されていることを特徴とする循環流量制御装置。
【請求項５】
風呂側熱交換器を燃焼装置により加熱するようにし、浴槽内の水が循環するための循環回路を構成し、該循環回路は、風呂側熱交換器の入り口側に接続された風呂側入水管と、浴槽側に接続された戻り管と、風呂側熱交換器の出口側に接続される風呂側出湯管と、浴槽側に接続された往き管と、一方が前記風呂側入水管と戻り管との接続点から流量調整弁を介して分岐され、他方が風呂側熱交換器をバイパスすべく、風呂側出湯管と往き管との接続点に合流するように接続された風呂側バイパス路と、前記戻り管と往き管との間に接続されたバイパス路とからなり、前記戻り管におけるバイパス路との接続部分よりも上流位置には、浴槽内の水位を検出するための水位センサとポンプが設けられ、前記バイパス路には弁が設けられ、該弁及び前記流量調整弁は制御手段により制御されるように構成された風呂給湯装置の制御装置において、前記バイパス路は、浴槽と弁との間のエアが弁よりも上方に移動可能に構成され、エアが弁よりも上方に逃げた後に前記弁が閉じられ、しかも、制御手段には流量調整弁の開度の相違する複数のポジションが、予め選択可能に準備されており、制御手段は選択されたポジションの開度に前記流量調整弁を制御することを特徴する風呂給湯装置の制御装置。
【発明の詳細な説明】
【０００１】
【発明の属する技術分野】
本発明は、例えば、落とし込み、追いだき及び気泡運転等が可能な浴槽の水位検出方法及びその装置並びに循環流量制御装置及び風呂給湯装置の制御装置に関するものである。
【０００２】
【従来の技術】
近年、風呂給湯装置として、落とし込み、追いだき、追いだき等風呂動作終了後に風呂配管のエアパージ及び気泡運転等が自動的に可能なものが種々開発されている。
かかる風呂給湯装置は、給湯側熱交換器と風呂側熱交換器とを缶体内に収めて燃焼装置により加熱するようにし、浴槽側と風呂側熱交換器との間に、循環回路が構成され、該循環回路に、ポンプと、循環水量を調整するための流量調整弁と、浴槽内の水位を検出するための水位センサとが設けられ、しかも、水位センサの信号が入力され且つ流量調整弁の開度を制御する制御手段を備えたものである。また、風呂側熱交換器をバイパスして気泡を発生できるように、弁を有するバイパス路が循環回路に設けられている。
【０００３】
前記風呂給湯装置は、例えば、落とし込みや追いだき等を行なう際には、先ず、循環判定を行なう。循環判定は、ポンプで浴槽内の所定量の水を循環回路を介して浴槽内に循環させ、浴槽内の水の有無を判断する際に行なわれる。また、循環判定の後に、湯の量を追加したり等する際には、浴槽内の水位を検出する必要がある。従って、循環判定及び水位の検出が正常に行なえるようにすることが、風呂給湯装置の運転を自動化する上において重要である。
【０００４】
【発明が解決しようとする課題】
前記浴槽及び風呂給湯装置の設置される条件は必ずしも同じとは限らない。即ち、流量調整弁の開度の精度誤差があったり、循環回路等の一連の配管の長さ、高低差等の施工条件や施工状況から生じる配管抵抗の相違が生じたり、また、ポンプの性能の精度誤差等様々な外的要因（以下、施工条件等という）による影響がある。しかしながら、従来では、かかる施工条件等の影響があるにもかかわらず、循環判定の際の循環流量は、流量調整弁の開度が単数のポジションしかないため、常時所定の水量が循環するだけであった。
【０００５】
従って、例えば、配管が長いため配管抵抗が大きくなったり、ポンプの能力が弱かったりすると、循環判定時に十分量の水が循環しないため、確実な判定ができないおそれがある。反対に、循環量が多いとエアを循環配管に吸い込んでしまうおそれがある。
【０００６】
また、浴槽内が空の場合又は水面が循環金具よりも下方でポンプが浴槽内の水を吸引できない場合（喫水位置以下）であると、循環回路の配管内に残存していた水が、浴槽の金具から勢い良く浴槽の周壁面に吐出されるため、その水が上方に反射して、例えば、浴槽の上方に干してあった洗濯物を濡らしてしまう問題があった。
【０００７】
しかも、循環判定時等にエアを配管内に吸い込むと、そのエアが水位センサ近傍やポンプ内に残存する。循環判定後には、前記弁を閉じて浴槽内の水位を水位センサ（水圧を検出するセンサ）で検出するのであるが、エアが浴槽と閉じられた弁との間に残存すると、水位検出不良を招来する欠点があった。
【０００８】
本発明は上記従来の欠点に鑑みてなされたものであり、循環判定等のように循環配管に浴槽内の水を循環させる際に、各風呂給湯装置の施工条件に応じた水量を循環させることができ、しかも、水位検出に影響するエアを抜くことにより、水位検出不良を防止することを課題とする。
【０００９】
【課題を解決するための手段】
本発明は、上記課題を解決すべく浴槽内の水位検出方法及びその装置並びに循環流量制御装置及び風呂給湯装置の制御装置としてなされたものであり、水位検出方法としての特徴は、風呂側熱交換器を燃焼装置により加熱するようにし、浴槽内の水が循環するための循環回路を構成し、水位センサよりも下流で且つ上方に設けられた弁を介して、浴槽と弁との間のエアを上部に逃がした後に、浴槽内の水位を水位センサで検出するようにしたことにある。
【００１０】
かかる方法は、仮に浴槽と弁との間にエアが残存する場合があっても、弁を介してエアを上部に逃がした後に水位検出するため、エアの影響を受けることなく、確実な水位の検出が可能となる。
【００１１】
浴槽内の水位検出装置としての特徴は、浴槽内の水が循環するための循環回路に、ポンプと、浴槽内の水位を検出するための水位センサと、弁を設け、弁を閉じた状態で水位センサの信号により浴槽内の水位を検出するようにした浴槽内の水位検出装置において、前記弁は、水位センサよりも下流位置で且つ配管内のエアが上方に移動可能な配管部分に設けられ、浴槽と弁との間のエアを弁よりも上方に逃がすように、ポンプ停止から所定の時間経過後に、浴槽に対して水位センサの下流側の配管路を遮断すべく前記弁を閉じる制御手段が設けられたことにある。
【００１２】
かかる装置は、上記方法を容易に実施することが可能となり、配管にエアの残存がない状態での浴槽内の水位検出の自動化が容易に達成できる。
【００１３】
循環流量制御装置としての特徴は、浴槽内の水が循環するための循環回路に、ポンプと、循環水量を調整するための流量調整弁とが設けられ、しかも、所定循環水量を循環させるべく、流量調整弁の開度を制御する制御手段が設けられた循環流量制御装置において、前記制御手段は、流量調整弁の開度の相違する複数のポジションが、予め選択可能に準備され、制御手段は選択されたポジションの開度に前記流量調整弁を制御することにある。
【００１４】
従って、施工時において流量調整弁のポジションをそれぞれ選択できるので、施工条件等の影響を考慮した循環流量を調整でき、各施工条件に応じた所定の循環水を循環させる循環判定等が確実に行なえる。
【００１５】
また、浴槽内の水が循環するための循環回路に、ポンプと、循環水量を調整するための流量調整弁とが設けられ、しかも、所定循環水量を循環させるべく、流量調整弁の開度を制御する制御手段が設けられた循環流量制御装置において、前記制御手段は、喫水位置よりも浴槽内の水位が上の場合に行なう循環判定モードと、水位が喫水位置よりも下の場合に行なう循環予備判定モードとを備え、循環判定予備循環モードのポジションは、循環判定モードのポジションに比し循環流量が少なくなるように設定されている。
尚、喫水位置とは、循環判定等に浴槽に設けられた循環金具からポンプが浴槽内の水を吸引できるか否かを判断する水面位置をいう。
【００１６】
循環判定モードと循環予備判定モードとを備えることにより、水位に応じて適切な循環判定が可能となり、浴槽内の水が喫水以下で且つ循環回路の配管内には、水が残存している場合であっても、流量調整弁は所定のポジションに設定されているため、配管内の水が浴槽の循環金具から勢い良く吐出されることはなく、吐出された水が浴槽の周壁面に当接して上方に反射するのを防止することができる。
【００１７】
また、風呂給湯装置の制御装置としての特徴は、風呂側熱交換器を燃焼装置により加熱するようにし、浴槽内の水が循環するための循環回路を構成し、該循環回路は、風呂側熱交換器の入り口側に接続された風呂側入水管と、浴槽側に接続された戻り管と、風呂側熱交換器の出口側に接続される風呂側出湯管と、浴槽側に接続された往き管と、一方が前記風呂側入水管と戻り管との接続点から流量調整弁を介して分岐され、他方が風呂側熱交換器をバイパスすべく、風呂側出湯管と往き管との接続点に合流するように接続された風呂側バイパス路と、前記戻り管と往き管との間に接続されたバイパス路とからなり、前記戻り管におけるバイパス路との接続部分よりも上流位置には、浴槽内の水位を検出するための水位センサとポンプが設けられ、前記バイパス路には弁が設けられ、該弁及び前記流量調整弁は制御手段により制御されるように構成された風呂給湯装置の制御装置において、前記バイパス路は、浴槽と弁との間のエアが弁よりも上方に移動可能に構成され、エアが弁よりも上方に逃げた後に前記弁が閉じられ、しかも、制御手段には流量調整弁の開度の相違する複数のポジションが、予め選択可能に準備されており、制御手段は選択されたポジションの開度に前記流量調整弁を制御することにある。
【００１８】
前記風呂給湯装置の制御装置によれば、各施工条件に応じた所定の循環水を循環させる循環判定等や、配管にエアの残存がない状態での浴槽内の水位検出の自動化が容易に達成できる。
また、水位検出時に、例えば給湯側が燃焼動作を行った場合には、配管内の水を媒体としてその振動が水位センサに伝わると、水位検出に悪影響を及ぼすが、その経路の弁を閉じることにより、振動を遮断し精度の良い水位検出を行なうことができる。
【００１９】
【発明の実施の形態】
以下、添付図面を参照して本発明の実施の形態について説明する。
図１及び図２は、本発明の一実施形態による風呂給湯装置１を示す。図２おいて、缶体２内には給湯側熱交換器３及び風呂側熱交換器４が一体的に配設されており、熱交換器３、４の下方には燃焼装置としての石油バーナ６及び送風ファン７が設けられ、缶体２の上面には排熱口５が開口されている。
【００２０】
前記石油バーナー６は、オイル供給路８に設けられた電磁弁９を開き、電磁ポンプ１０を運転すると、オイル（石油）がオイル供給路８を循環してノズル１１からミスト状に吐出され、ノズル１１から吐出されたミスト状のオイルはエアと混合され、燃焼する。また、石油バーナー６は、ノズル１１から吐出されるオイルに点火するための着火装置１２、燃焼を監視するための燃焼検知センサ（フレームロッド）１３を有している。送風ファン７は石油バーナー６に強制的にエアを供給しており、最適な空燃比でオイルを燃焼させる。
【００２１】
前記給湯側熱交換器３の入口側には給水路１４が、出口側には給湯路１５がそれぞれ接続され、出湯用給湯器が構成されている。給水路１４の入口側にはフィルタ１７が接続され、給水路１４の途中には、水量センサ１８及び入水温度センサ２１がそれぞれ接続されている。
１６は給湯側熱交換器３をバイパスすべく、給水路１４と給湯路１５との間に接続された給湯側バイパス路である。この給湯側バイパス路１６の水量は水比例弁１９により制御される。
【００２２】
前記給湯路１５は、水量サーボ弁２０を介して湯水混合路２５に接続されており、給湯側熱交換器３で加熱された湯と給湯側バイパス路１６を流れた水は混合され、しかも、水量サーボ弁２０によって制御されながら湯水混合路２５へ供給されるようになっている。
【００２３】
給湯路１５には缶体出湯温度センサ２２が取り付けられ、湯水混合路２５にはミキシング温度センサ２３が取り付けられている。従って、前記水量センサ１８、入水温度センサ２１、缶体出湯温度センサ２２、ミキシング温度センサ２３のそれぞの出力信号（計測信号）は、図１に示す制御手段としてのコントローラ６０に入力される。コントローラ６０は、給湯側熱交換器３から給湯路１５へ出湯される缶体出湯温度や、湯水混合路２５へ出湯される湯水混合温度が設定値に等しくなるよう、石油バーナー６の火力や水比例弁１９等を制御する。
【００２４】
前記給湯側熱交換器３には、熱交換器温度センサ４６が取り付けられており、給湯側熱交換器３内の湯が沸騰するのを防止できるように、給湯側熱交換器３もしくはその残水の温度を検出し、その出力信号は前記コントローラ６０に入力される。
【００２５】
前記風呂側熱交換器４は風呂装置の一部を構成している。即ち、風呂装置は、石油バーナー６で加熱される風呂側熱交換器４と、戻り管路６１と、往き管路６２と、風呂側バイパス路３６と、気泡発生用バイパス路３７とから主構成されている。
【００２６】
前記戻り管路６１は、風呂側熱交換器４の入り口に接続された風呂側入水管３３と、浴槽４７の循環金具４８に接続された戻り管３２とからなる。戻り管３２には、湯の流れる上流側（浴槽４７側）から水位センサ３８、循環ポンプ３９、風呂側水流スイッチ４０及びサーミスタ等の湯温センサ４１がそれぞれ設けられている。
【００２７】
前記往き管路６２は、風呂側熱交換器４の出口側に接続された風呂側出湯管３４と浴槽４７の循環金具４８に接続された往き管３５とからなる。尚、循環金具４８にはエア管４５が接続されており、エア管４５は開閉弁（図示省略）を通して大気開放されている。
【００２８】
前記風呂側バイパス路３６の一方は、前記風呂側入水管３３と戻り管３２との接続点から流量調整弁としての三方弁４２を介して分岐され、他方は風呂側熱交換器４をバイパスすべく、風呂側出湯管３４と往き管３５との接続点に合流するように接続されている。
【００２９】
前記三方弁４２の構造を図７（ａ）（ｂ）の断面図に示す。三方弁４２は、戻り管３２、風呂側バイパス路３６及び風呂側入水管３３に連通したケーシング４９内に円柱状をしたバルブ本体５１を回転自在に納めたものであり、バルブ本体５１には下面から側面にかけて略Ｌ字状に屈曲した水通路５２が開口されている。バルブ本体５１の下面に開口した水通路５２は常に戻り管３２内に連通しており、バルブ本体５１の側面に開口した水通路５２は、バルブ本体５１の回転に伴って風呂側入水管３３側（缶体側）と風呂側バイパス路３６側（バイパス側）との間で切り替わるようになっている。
【００３０】
バルブ本体５１は、前記コントローラ６０により制御されるステッピングモータ（パルスステップモータ）４３の回転軸５０に取付けられており、ステッピングモータ４３のステップ数を指定することにより回転角が制御され、所定範囲内の任意の角度で回転可能となっている。よって、缶体側で全開になった状態やバイパス側で全開になった状態に限らず、任意の半開状態でも用いることができる。
【００３１】
前記気泡発生用バイパス路３７は、風呂側熱交換器４及び風呂側バイパス路３６をさらにバイパスすべく、戻り管３２と往き管３５との間に接続されている。即ち、往き管３５は戻り管３２よりも上方に配管されるようになっており、気泡発生用バイパス路３７の下部は、戻り管３２における循環ポンプ３９よりも下流位置に接続され、上部は往き管３５に接続されている。しかも、気泡発生用バイパス路３７の途中には、二方弁４４が接続されている。よって、浴槽４７から二方弁４４との間のエアは、二方弁４４を開放することにより、気泡発生用バイパス路３７を通過して往き管３５側に移動するようになっている。
【００３２】
この二方弁４４も前記三方弁４２と同様にそのステッピングモータ４４ａが前記コントローラ６０により制御される。尚、風呂側バイパス路３６は、前記三方弁４２をバイパス側に制御して循環判定や湯の落とし込み時に用いられるものであり、気泡発生用バイパス路３７は泡バス運転用にも用いられるものである。
【００３３】
ここで、前記戻り管３２、風呂側バイパス路３６、往き管３５及び気泡発生用バイパス路３７により循環回路が構成されている。また、前記戻り管３２、風呂側入水管３３、風呂側熱交換器４、風呂側出湯管３４及び往き管３５により追いだき回路が構成されており、前記湯水混合路２５から分岐された分岐管２６は、バキュームブレーカ２７、落とし込み水電磁弁２８、水量センサ２９、逆止弁３０及び接続管３１を経て往き管３５に接続されている。
【００３４】
次に、前記三方弁４２の開度調整を行なう手段について説明する。
前記コントローラ６０は、循環判定モードと循環判定予備循環モードのそれぞれのポジシヨンテーブルを備えている。
ここで、循環判定予備循環モードとは、喫水位置以下の場合に行なう循環判定モードをいい、循環判定モードとは、喫水位置よりも水位が上の場合に行なう循環判定モードをいう。
【００３５】
そして、各判定モードのプログラムセレクトは、コントローラ６０のジャンパーＳＷの切り替えによるマイクロコンピュータの入力ポート状態にて決定する。即ち、循環判定モードは、ＵＰ／通常／ＤＯＷＮの３ポジションＡ１、Ａ２、Ａ３があり、循環判定予備循環モードは、ＵＰ／通常の２ポジションＢ１、Ｂ２がある。
【００３６】
循環判定モードのＵＰポジションＡ１は、図３に示す如く通常ポジションＡ２よりも循環流量を所定量多くしたポジションで、通常ポジションＡ２よりも三方弁４２をバイパス側に若干開いている。ＤＯＷＮポジションＡ３は、循環流量が所定量少なくなるように、通常ポジションＡ２よりも若干閉じている。
【００３７】
尚、循環判定予備循環モードにおけるＵＰ／通常の２ポジションＢ１、Ｂ２も前記循環判定モードのポジションと同様の関係にあるが、循環判定予備循環モードは、循環判定モードに比し循環流量が少なく設定されている。そして、最初は循環判定予備循環モードになっていて、浴槽内の湯水が喫水位置以上の際には、循環判定モードに連動して切り替わるようになっている。
【００３８】
施工作業者は、風呂給湯装置１の施工時に、配管の長さ等による配管抵抗、ポンプの性能等の施工条件等の影響を考慮して各ポジションを決定する。この各ポジションは、試験的に浴槽４７内の水を循環させることにより、容易に決定することができる。例えば、循環流量が多く必要な場合には、ＵＰポジションＡ１を、循環流量が少なくて良い場合には、ＤＯＷＮポジションＡ２をそれぞれ択一的に選択する。
【００３９】
また、循環判定モードのポジションを設定すると循環判定予備循環モードも連動して自動的に設定されるようになっている。例えば、循環判定モードのＵＰポジションＡ１を設定した場合には、循環判定予備循環モードもＵＰポジションＢ１に設定される。また、循環判定モードの通常／ＤＯＷＮポジションＡ２、Ａ３を設定した場合には、循環判定予備循環モードは通常ポジションＢ２が設定されることとなる。
このように、循環判定モードと循環判定予備循環モードとを連動させて設定できるようにすることで、施工時のモード調整手間の合理が図れると共に、双方のモードでの調整不一致を防止することができる。
【００４０】
次に、例えば循環判定を行なう動作について図４を参照しながら説明する。
浴槽４７内に水が喫水位置よりも上にある場合には、風呂側水流スイッチ４０が作動するため、循環判定予備循環モードから循環モードに自動的に切り替わる。
【００４１】
先ず、コントローラ６０のジャンパーのビットデータを判定する（ステップ１）。例えば、各判定ホジションにおけるジュンパーＳＷ（ＪＰ１及びＪＰ２）の組み合わせは、図５に示すようになっている。従って、例えば予めＵＰポジションに設定されている場合には、ＲＡＭデータ「ＵＰ」が選択される（ステップ２及びステップ３）。更に、ＲＡＭデータに基づき三方弁のＵＰポジションＡ１におけるステップ数が読み込まれ、目標のＵＰポジションに設定される（ステップ４及びステップ５）。コントローラ６０は、三方弁４２の開度が選択されたＵＰポジションＡ１となるように所定のパルスをカウントするまで三方弁を制御する（ステップ６）。
【００４２】
このように、三方弁４２は予め各ポジションに開度調整されているため、循環判定時に循環回路を循環して浴槽内に吐出される循環流量が少なすぎたり、反対に多すぎでエアを吸い込んで不必要にアワが発生することはほとんどない。
【００４３】
また、仮に、浴槽４７内の水位が喫水以下の場合は、循環ポンプ３９が運転しても、水が循環しないため、水流スイッチ４０は作動することなく、浴槽４７内に水は無いものと判断され、循環判定予備循環が行なわれる。このとき、循環回路の配管内には、水が残存していたとしても、三方弁４２はポジション設定されているため、配管内の水が浴槽４７の循環金具４８から勢い良く吐出されることはなく、吐出された水が浴槽４７の周壁面に当接して上方に反射するのを防止することができる。
【００４４】
循環判定予備循環モードにより、水位が喫水以下であると判断されると、浴槽４７内には設定量の湯（例えば２０リットル）が循環金具４８から供給される。尚、この判定動作は、湯（又は水）量が喫水位置以上になり、湯が循環するまで繰り返して行なわれる。
【００４５】
次に、浴槽４７内の水位を検出する場合について説明する。
循環判定が終了すると、図６に示す如く循環ポンプ３９が停止し（ステップ７）、三方弁４２はエア抜き位置（バイパス側の全開位置）に制御される（ステップ８）。また、全閉又は半開状態であった二方弁４４が全開されていることを確認すると（ステップ９）、タイマが所定の時間（例えば、５秒）のカウントを開始し、カウントが終了すると（ステップ１０）、三方弁４２は水位検出位置（閉止位置）に制御され且つ、二方弁４４も閉じられる（ステップ１１、ステップ１２）。
【００４６】
このように循環ポンプ３９が停止してから二方弁４４が閉じられる間に、仮に浴槽４７と二方弁４４との間にエアが残存していた場合（特に、水位センサ３８近傍や、循環ポンプ３９はエアが残存している）、エアは戻り管３２及び気泡発生用バイパス路３７を上方に移動し、開放状態の二方弁４４を通過して更に上部の往き管３５へ移動する。
【００４７】
三方弁４２の閉止時から所定の時間（例えば４５秒）カウントし（ステップ１３）、二方弁４４の閉止とタイマーのカウント終了が確認された場合には、水位検出を行なう（ステップ１４）。尚、ステップ１３で所定時間カウントしたのは、循環ポンプ３９が停止してから配管等の振動がなくなる所定の時間経過してから水位検出を行なうためである。また、ステップ１５は二方弁４４が故障していた場合を考慮して１０秒カウントするようにしている。
【００４８】
このように、循環ポンプ３９が停止してから、所定の時間経過後に二方弁４４及び三方弁４２を閉じることにより、二方弁４４又は三方弁４２よりも上部にエアを逃がすことができ、浴槽４７と二方弁４４及び三方弁４２間にエアが残存することはない。従って、残存エアの膨張、収縮及び循環ポンプ３９の振動、缶体側からの水の振動等による影響で水位センサ検圧不良を引き起こすことなく、正確な水位センサ３８の信号がコントローラ６０に入力されるため、正常な水位検出が行なえる。
そして、このように水位検出を行なった後に、所定量の湯を設定水位まで落とし込み等の次の動作に移行する。
【００４９】
尚、本発明は、上記実施の形態に限定されるものではなく、例えば、循環判定モードは、ＵＰ／通常／ＤＯＷＮの３ポジション以外に、２ポジションであっても、４ポジション以上の複数ポジションが設定可能である。また、循環判定予備循環モードは、ＵＰ／通常の２ポジション以外に、３以上の複数ポジションとすることも可能である。
【００５０】
また、水位検出時にエアを逃がす弁は、気泡発生用バイパス路３７に設けた二方弁４４に限定されるものではなく、エアが上昇する配管部に設けられたものであれば良く、前記三方弁４２でエアを逃がすようにすることも可能である。かかる場合には、循環水量を調整するための流量調整弁とエアを逃がす弁とは同一のものとなる。
【００５１】
【発明の効果】
以上のように、本発明の風呂給湯装置の制御装置は、前記バイパス路３７が、浴槽と弁との間のエアが弁よりも上方に移動可能に構成され、エアが弁よりも上方に逃げた後に前記弁が閉じられ、しかも、制御手段には流量調整弁の開度の相違する複数のポジションが、予め選択可能に準備されており、制御手段は選択されたポジションの開度に前記流量調整弁を制御するので、各施工条件に応じた循環判定等や、エアの残存がない状態での浴槽内の水位検出の自動化が容易に達成できる利点がある。
【００５２】
また、水位検出時に、水位センサの浴槽に対して下流側を、弁を閉じて遮断することにより、風呂側熱交換器及び燃焼装置が配置された缶体側が燃焼動作、例えば給湯側が燃焼動作を行なっても、配管内の水を媒体としてその振動がセンサに伝わるのを防止でき、悪影響を及ぼすことなく精度の良い水位検出をすることが可能となる。
【００５３】
本発明の浴槽の水位検出方法は、風呂側熱交換器を燃焼装置により加熱するようにし、浴槽内の水が循環するための循環回路を構成し、水位センサよりも下流で且つ上方に設けられた弁を介して、浴槽と弁との間のエアを上部に逃がした後に、浴槽内の水位を水位センサで検出するようにしたので、エアの影響を受けることなく確実な水位の検出が可能となる。
【００５４】
本発明の浴槽の水位検出装置は、弁が水位センサよりも下流位置で且つ配管内のエアが上方に移動可能な配管部分に設けられ、浴槽と弁との間のエアを弁よりも上方に逃がすように、ポンプ停止から所定の時間経過後に、浴槽に対して水位センサの下流側の配管路を遮断すべく前記弁を閉じる制御手段が設けられたので、上記方法を容易に実施することが可能となり、水位検出時に、水位センサの浴槽に対して下流側を、弁を閉じて遮断することにより、風呂側熱交換器及び燃焼装置が配置された缶体側からの水の振動を遮断して精度の良い水位検出をすることが可能となる。
【００５５】
本発明の循環流量制御装置において、前記制御手段は、流量調整弁の開度の相違する複数のポジションが、予め選択可能に準備され、制御手段は選択されたポジションの開度に前記流量調整弁を制御するので、各施工条件に応じた循環水を循環回路に循環させることができ、循環判定等が確実に行なえる。
【００５６】
しかも、前記制御手段は、喫水位置よりも浴槽内の水位が上の場合に行なう循環判定モードと、水位が喫水位置よりも下の場合に行なう循環予備判定モードとを備え、循環判定予備循環モードのポジションは、循環判定モードのポジションに比し循環流量が少なくなるように設定されているので、喫水位置に対する水位に応じて適切な循環判定が可能となり、特に、浴槽内の水が喫水以下で且つ循環回路の配管内には、水が残存している場合であっても、流量調整弁は所定のポジションに設定されているため、配管内の水が浴槽の循環金具から勢い良く吐出されることはなく、吐出された水が浴槽の周壁面に当接して上方に反射するのを防止することができる。
【図面の簡単な説明】
【図１】本発明の一実施形態の風呂給湯装置の制御装置を示す概略図である。
【図２】同風呂給湯装置を示す全体構成図である。
【図３】同三方弁の開度状態と循環流量の関係を示す図である。
【図４】同循環判定モードにおけるフロー図である。
【図５】ジュンパーＳＷの組み合わせを示す図である。
【図６】水位検出の動作を示すフロー図である。
【図７】（ａ）（ｂ）は三方弁の構造をそれぞれ示す概略断面図である。
【符号の説明】
３    給湯側熱交換器
４    風呂側熱交換器
６    燃焼装置（石油バーナ）
３２  戻り管
３３  風呂側入水管
３４  風呂側出湯管
３５  往き管
３７  バイパス路（気泡発生用バイパス路）
３８  水位センサ
３９  ポンプ（循環ポンプ）
４２  三方弁（流量調整弁）
４４  弁（二方弁）
４７  浴槽
６０  制御手段（コントローラ）
【図１】
0003632199.tif 000002
【図２】
0003632199.tif 000003
【図３】
0003632199.tif 000004
【図４】
0003632199.tif 000005
【図５】
0003632199.tif 000006
【図６】
0003632199.tif 000007
【図７】
0003632199.tif 000008